(57)【要約】【課題】ディスプレイパネルの駆動装置を提供すること。【解決手段】第１および第２電圧を交互に有するパルスを複数個の電極のうち１つの電極に印加するパルス印加部８００と，パルスが第２電圧から第１電圧に達する間に放電セル内の電荷を蓄積し，またはパルスが第１電圧から第２電圧に達する間に蓄積した電荷を放電セル内に放出するエネルギー回収部８２０とを備え，エネルギー回収部は，電流の大きさによって可変するインダクタンスを有しつつ，第１電圧から第２電圧まで達する時間，または第２電圧から第１電圧まで達する時間を決定する少なくとも１つの磁界スイッチを含むディスプレイパネルの駆動装置である。これにより，ディスプレイパネルの放電セルに放電が行われるように印加されるパルスの上昇時間および下降時間を短縮し，パルス印加時に発生するスイッチング損失およびオン状態損失を低減することが可能である。【選択図】図８
2006195423.tif 000002
【特許請求の範囲】
【請求項１】
複数個の電極と，前記複数個の電極が交差するところに形成される放電セルと，を含むディスプレイパネルの前記各放電セルで放電が行われ，画像が具現されるように駆動信号を供給するディスプレイパネルの駆動装置において：
第１電圧および第２電圧を交互に有するパルスを前記複数個の電極のうち１つの電極に印加するパルス印加部と；
前記パルスが前記第２電圧から前記第１電圧に達する間に前記放電セル内の電荷を蓄積し，または前記パルスが前記第１電圧から前記第２電圧に達する間に前記蓄積した電荷を前記放電セル内に放出するエネルギー回収部と；
を備え，
前記エネルギー回収部は，電流の大きさによって可変するインダクタンスを有しつつ，スイッチング動作を行い，前記インダクタンスおよび前記ディスプレイパネルのキャパシタンスのＬＣ共振により，前記第１電圧から前記第２電圧まで達する時間，または前記第２電圧から前記第１電圧まで達する時間を決定する少なくとも１つの磁界スイッチを含むことを特徴とする，ディスプレイパネルの駆動装置。
【請求項２】
前記エネルギー回収部は，
前記放電セル内の電荷を集めて蓄積し，または前記蓄積した電荷を前記放電セル内に放出するエネルギー保存キャパシタと；
前記電荷の蓄積または放出を決定する少なくとも１つのスイッチング素子と；
をさらに備えることを特徴とする，請求項１に記載のディスプレイパネルの駆動装置。
【請求項３】
前記スイッチング素子のスイッチング動作により，前記エネルギー保存キャパシタと前記パネルとの間に電流が流れることを特徴とする，請求項２に記載のディスプレイパネルの駆動装置。
【請求項４】
前記磁界スイッチは，前記インダクタンスにより，前記電流の流れを妨害する逆起電力が誘導され，前記電流の大きさが臨界値以上ならばターンオンされ，前記電流の大きさが前記臨界値未満ならばターンオフされることを特徴とする，請求項３に記載のディスプレイパネルの駆動装置。
【請求項５】
前記スイッチング素子は，絶縁ゲート両極性トランジスタであることを特徴とする，請求項４に記載のディスプレイパネルの駆動装置。
【請求項６】
前記絶縁ゲート両極性トランジスタは，前記パルスが前記第２電圧から上昇し始める瞬間より所定時間前にターンオンされることを特徴とする，請求項５に記載のディスプレイパネルの駆動装置。
【請求項７】
前記絶縁ゲート両極性トランジスタは，前記パルスが前記第１電圧から下降し始める瞬間より所定時間前にターンオンされることを特徴とする，請求項５に記載のディスプレイパネルの駆動装置。
【請求項８】
前記パルス印加部は，
前記第１電圧を供給する第１電圧源と；
一端は前記第１電圧源に連結され，他端はディスプレイパネルに連結され，前記第１電圧をスイッチングする第１スイッチング素子と；
前記第２電圧を供給する第２電圧源と；
一端は前記第２電圧源に連結され，他端は前記第１スイッチング素子の他端および前記ディスプレイパネルに連結され，前記第２電圧をスイッチングする第２スイッチング素子と；
を備えることを特徴とする，請求項１に記載のディスプレイパネルの駆動装置。
【請求項９】
前記パルスは，
前記磁界スイッチおよび前記スイッチング素子がターンオンされると，前記第２電圧から前記第１電圧に達し，
前記第１スイッチング素子がターンオンされ，前記第１電圧が維持されると，
前記磁界スイッチおよび前記スイッチング素子がターンオンされると，前記第１電圧から前記第２電圧に達し，
前記第２スイッチング素子がターンオンされると，前記第２電圧が維持されることを特徴とする，請求項８に記載のディスプレイパネルの駆動装置。
【請求項１０】
前記複数個の電極は，互いに平行する第１電極および第２電極と，前記第１電極および第２電極に交差する第３電極とであることを特徴とする，請求項１に記載のディスプレイパネルの駆動装置。
【請求項１１】
前記第１電圧および第２電圧を交互に有するパルスが印加される電極は，第１電極であることを特徴とする，請求項１０に記載のディスプレイパネルの駆動装置。
【請求項１２】
前記パルスは，点灯するように選択された放電セルで，維持放電を行わせる維持パルスであることを特徴とする，請求項１１に記載のディスプレイパネルの駆動装置。
【請求項１３】
前記第１および第２電圧を交互に有するパルスが印加される電極は，第２電極であることを特徴とする，請求項１０に記載のディスプレイパネルの駆動装置。
【請求項１４】
前記パルスは，点灯するように選択された放電セルで，維持放電を行わせる維持パルスであることを特徴とする，請求項１３に記載のディスプレイパネルの駆動装置。
【請求項１５】
前記第１および第２電圧を交互に有するパルスが印加される電極は，第３電極であることを特徴とする，請求項１０に記載のディスプレイパネルの駆動装置。
【請求項１６】
前記パルスは，点灯される放電セルを選択し，アドレス放電を行わせるアドレスパルスであることを特徴とする，請求項１５に記載のディスプレイパネルの駆動装置。
【請求項１７】
前記第２電圧は，接地電圧であることを特徴とする，請求項１に記載のディスプレイパネルの駆動装置。
【請求項１８】
互いに平行する第１電極および第２電極と，前記第１電極および第２電極に交差する第３電極とを備え，各電極が交差する領域に放電セルが形成されるプラズマディスプレイパネルの，各放電セルで放電が行われるように駆動信号を供給するディスプレイパネルの駆動装置において：
全ての放電セルから選択された放電セルで維持放電が行われるように維持放電電圧および接地電圧を交互に有する維持パルスを第１電極または第２電極に印加する維持パルス印加部と；
前記維持パルスが前記維持放電電圧から前記接地電圧に達する間に前記放電セル内の電荷を蓄積し，または前記維持パルスが前記接地電圧から前記維持放電電圧に達する間に前記蓄積した電荷を前記放電セル内に放出するエネルギー回収部と；
を備え，
前記エネルギー回収部は，
前記放電セル内の電荷を集めて蓄積し，または前記蓄積した電荷を前記放電セル内に放出するエネルギー保存キャパシタと；
前記電荷の蓄積または放出を決定する少なくとも１つの絶縁ゲート両極性トランジスタと；
前記絶縁ゲート両極性トランジスタのスイッチング動作により，前記エネルギー保存キャパシタと前記パネルとの間に流れる電流の大きさによって可変するインダクタンスを有しつつ，スイッチング動作を行い，前記インダクタンスおよび前記パネルのキャパシタンスのＬＣ共振により，前記維持放電電圧から前記接地電圧まで達する時間または前記接地電圧から前記維持放電電圧まで達する時間を決定する少なくとも１つの磁界スイッチと；
を備えることを特徴とする，ディスプレイパネルの駆動装置。
【請求項１９】
互いに平行する第１電極および第２電極と，前記第１電極および第２電極に交差する第３電極とを備え，各電極が交差する領域に放電セルが形成されるプラズマディスプレイパネルの各放電セルで放電が行われるように駆動信号を供給するディスプレイパネルの駆動装置において：
全ての放電セルのうちから点灯される放電セルを選択するアドレス放電が行われるように，アドレス電圧および接地電圧を交互に有するアドレスパルスを第３電極に印加するアドレスパルス印加部と；
前記アドレスパルスが前記アドレス電圧から前記接地電圧に達する間に前記放電セル内の電荷を蓄積し，または前記アドレスパルスが前記接地電圧から前記アドレス電圧に達する間に前記蓄積した電荷を前記放電セル内に放出するエネルギー回収部と；
を備え，
前記エネルギー回収部は，
前記放電セル内の電荷を集めて蓄積し，または前記蓄積した電荷を前記放電セル内に放出するエネルギー保存キャパシタと；
前記電荷の蓄積または放出を決定する少なくとも１つの絶縁ゲート両極性トランジスタと；
前記絶縁ゲート両極性トランジスタのスイッチング動作により，前記エネルギー保存キャパシタと前記パネルとの間に流れる電流の大きさによって可変するインダクタンスを有しつつ，スイッチング動作を行い，前記インダクタンスおよび前記パネルのキャパシタンスのＬＣ共振により，前記アドレス電圧から前記接地電圧まで達する時間または前記接地電圧から前記アドレス電圧まで達する時間を決定する少なくとも１つの磁界スイッチと；を備えることを特徴とする，ディスプレイパネルの駆動装置。
【発明の詳細な説明】
【技術分野】
【０００１】
本発明は，パルス印加時に発生するスイッチング損失およびオン状態損失を低減するディスプレイパネルの駆動装置に関する。
【背景技術】
【０００２】
近日，大型平板ディスプレイ装置として注目されているプラズマディスプレイパネル（ＰＤＰ：Ｐｌａｓｍａ  Ｄｉｓｐｌａｙ  Ｐａｎｅｌ）は，複数個の電極が形成された２の基板間に放電ガスが封入された後に放電電圧が加えられ，これにより発生する紫外線により所定のパターンに形成された蛍光体が励起され，所望の画像を得る装置である。
【０００３】
一方，ＰＤＰの駆動装置は上記ＰＤＰで放電が行われるように，各電極に駆動信号を印加する装置である。
【０００４】
図１は，選択された放電セルで維持放電が行われるように，維持パルスを印加する従来のＰＤＰの駆動装置を簡略に図示した回路図である。
【０００５】
以下，図１を参照して維持パルスを印加する従来のＰＤＰの駆動装置について説明する。図面に図示されたＰＤＰの駆動装置は，特許文献１に図示されたようなものである。
【０００６】
図１では，ＰＤＰが互いに並行するＸ電極およびＹ電極と，Ｘ電極およびＹ電極に交差するＡ電極とを備えると仮定し，Ｘ電極に維持パルスを印加する駆動装置だけを図示している。上記駆動装置は，維持放電電圧ＶＳと接地電圧とを交互にスイッチングして出力する維持パルス印加部１０と，維持パルスの印加によって放電セル内に放電が行われ，放電セル内に蓄積した電荷を回収して蓄積し，または蓄積した電荷を放電セル内に放出するエネルギー回収部２０とを備える。
【０００７】
維持パルス印加部１０は，維持放電電圧源ＳＶＳと，維持放電電圧源ＳＶＳに連結されたスイッチング素子Ｓａと，接地端と，接地端に連結されたスイッチング素子Ｓｂとを含む。上記維持パルス印加部１０は，維持放電電圧ＶＳと接地電圧をパネルの放電セル内に印加する。維持パルスは，維持放電電圧ＶＳと接地電圧とを交互に有するので，２つのスイッチング素子Ｓａ，Ｓｂは，交互にターンオンされる。
【０００８】
エネルギー回収部２０は，放電セル内の電荷を蓄積し，または蓄積した電荷を放電セルに放出するキャパシタＣと，電荷の蓄積または放出を決定するスイッチング素子Ｓｃ，Ｓｄと，インダクタＬ’とを備える。上記インダクタＬ’は，パネルＣＰ’のキャパシタンスＣＰとのＬＣ共振により，接地電圧から維持放電電圧ＶＳまで達する時間，または維持放電電圧ＶＳから接地電圧まで達する時間を決定する。
【０００９】
図２は，図１の駆動装置により印加される維持パルスを図示したタイミング図である。
【００１０】
図１および図２を参照して説明すれば，スイッチング素子Ｓｃがターンオンされ，接地電圧から維持放電電圧ＶＳまで上昇する上昇期間Ｔｒｉｓｅは，ＬＣ共振回路を構成するインダクタＬ’のインダクタンスＬとパネルＣＰ’のキャパシタンスＣＰとにより決定される。すなわち，上昇期間Ｔｒｉｓｅは，π√（ＬＣｐ）になる。また，スイッチング素子Ｓｄがターンオンされ，維持放電電圧ＶＳから接地電圧まで下降する時間である下降期間Ｔｆａｌｌも，π√（ＬＣｐ）になる。
【００１１】
例えば，パネルＣＰ’のキャパシタンスＣＰがほぼ７０ｎＦであり，インダクタＬ’のインダクタンスＬがほぼ２５０ｎＨであれば，上昇時間および下降時間は，ほぼ４１５ｎｓ（ｎｓｅｃ）となる。
【００１２】
維持パルスの一例として，上昇期間Ｔｒｉｓｅは０．４μｓ（μｓｅｃ）であり，維持放電電圧ＶＳの維持期間Ｔｔｏｐは１．４４μｓであり，下降期間Ｔｆａｌｌは０．４４μｓであり，接地電圧の維持期間Ｔｏｆｆは２．０μｓでありうる。すなわち，維持放電電圧ＶＳの総印加期間Ｔｏｎは２．２８μｓであり，維持パルスの一周期は４．２８μｓとなる。従って，印加される維持パルスの周波数は２３４ｋＨｚとなり，維持パルスのデューティーは５３．３５％となる。維持パルスの他の例としては，上昇期間Ｔｒｉｓｅは０．３μｓであり，維持放電電圧ＶＳの維持期間Ｔｔｏｐは１．９μｓであり，下降期間Ｔｆａｌｌは０．３μｓであり，接地電圧の維持期間Ｔｏｆｆは２．５μｓでありうる。すなわち，維持放電電圧ＶＳの総印加期間Ｔｏｎは２．５μｓであり，維持パルスの一周期は５μｓとなる。従って，印加される維持パルスの周波数は２００ｋＨｚとなり，維持パルスのデューティーは５０％となる。従来には，上記実施形態のような維持パルスの波形を使用している。
【００１３】
一方，維持放電が効率的に行われるためには，維持パルスの上昇期間および下降期間を短くせねばならない。かかる試みは多く行われているが，インダクタＬ’のインダクタンスＬおよびパネルＣＰ’のキャパシタンスＣＰの素子特性による制約により，一定期間以下には維持パルスの上昇期間および下降期間を縮められないという問題があった。
【００１４】
一方，ＰＤＰの放電ガスとして，Ｎｅ，Ｘｅなどの混合気体が用いられ，放電効率の向上のために高濃度Ｘｅガスが用いられる趨勢では，高電圧の維持放電電圧の印加を要求される。係る趨勢により，ＰＤＰの駆動装置は，金属酸化膜半導体の電界効果トランジスタ（ＭＯＳＦＥＴ  ：Ｍｅｔａｌ−Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）を使用している。しかし，ＭＯＳＦＥＴは，スイッチオン（Ｏｎ）状態で高い抵抗を有するため，高電圧の維持放電電圧を使用する場合には，電力損失が大きいという問題もあった。
【００１５】
【特許文献１】米国特許第５，０８１，４００号明細書
【発明の開示】
【発明が解決しようとする課題】
【００１６】
本発明は，上記問題点に鑑みてなされたものであり，本発明の目的は，ディスプレイパネルの放電セルに放電が行われるように印加されるパルスの上昇時間および下降時間を短縮し，パルス印加時に発生するスイッチング損失およびオン状態損失を低減するディスプレイパネルの駆動装置を提供することである。
【課題を解決するための手段】
【００１７】
上記課題を解決するために，本発明のある観点によれば，複数個の電極が備わり，上記複数個の電極が交差して放電セルが定義されるディスプレイパネルの各放電セルで放電が行われ，画像が具現されるように駆動信号を供給するディスプレイパネルの駆動装置において，第１および第２電圧を交互に有するパルスを上記複数個の電極のうち１つの電極に印加するパルス印加部と，上記パルスが上記第２電圧から上記第１電圧に達する間に上記放電セル内の電荷を蓄積し，または上記パルスが上記第１電圧から上記第２電圧に達する間に上記蓄積した電荷を上記放電セル内に放出するエネルギー回収部とを備え，上記エネルギー回収部は，電流の大きさによって可変するインダクタンスを有しつつ，スイッチング動作を行い，上記インダクタンスおよび上記パネルのキャパシタンスのＬＣ共振により，上記第１電圧から上記第２電圧まで達する時間，または上記第２電圧から上記第１電圧まで達する時間を決定する少なくとも１つの磁界スイッチを含むディスプレイパネルの駆動装置が提供される。
【００１８】
上記エネルギー回収部は，上記放電セル内の電荷を集めて蓄積し，または上記蓄積した電荷を上記放電セル内に放出するエネルギー保存キャパシタと，上記電荷の蓄積または放出を決定する少なくとも１つのスイッチング素子とをさらに備えるとしてもよい。
【００１９】
上記スイッチング素子のスイッチング動作により，上記エネルギー保存キャパシタと上記パネルとの間に電流が流れるとしてもよい。
【００２０】
上記磁界スイッチは，上記インダクタンスにより，上記電流の流れを妨害する逆起電力が誘導され，上記電流の大きさが臨界値以上ならばターンオンされ，上記電流の大きさが上記臨界値未満ならばターンオフされるとしてもよい。係る構成により，上記磁界スイッチは，外部からのスイッチング動作を必要としない。
【００２１】
上記スイッチング素子は，絶縁ゲート両極性トランジスタであるとしてもよい。係る構成により，ＭＯＳＦＥＴと比べ高電圧のスイッチングが可能となる。
【００２２】
上記絶縁ゲート両極性トランジスタは，上記パルスが上記第２電圧から上昇し始める瞬間より所定時間前にターンオンされるとしてもよい。係る構成により，磁界スイッチがターンオンされるタイミングを調節可能となる。
【００２３】
上記絶縁ゲート両極性トランジスタは，上記パルスが上記第１電圧から下降し始める瞬間より所定時間前にターンオンされるとしてもよい。係る構成により，磁界スイッチがターンオンされるタイミングを調節可能となる。
【００２４】
上記パルス印加部は，上記第１電圧を供給する第１電圧源と，上記第１電圧源に一端が連結されて他端はパネルに連結され，上記第１電圧をスイッチングする第１スイッチング素子と，上記第２電圧を供給する第２電圧源と，上記第２電圧源に一端が連結されて他端は上記第１スイッチング素子の他端および上記パネルに連結され，上記第２電圧をスイッチングする第２スイッチング素子とを備えるとしてもよい。
【００２５】
上記パルスは，上記磁界スイッチおよび上記スイッチング素子がターンオンされ，上記第２電圧から上記第１電圧に達し，上記第１スイッチング素子がターンオンされ，上記第１電圧が維持され，上記磁界スイッチおよび上記スイッチング素子がターンオンされ，上記第１電圧から上記第２電圧に達し，上記第２スイッチング素子がターンオンされ，上記第２電圧が維持されるとしてもよい。
【００２６】
上記複数個の電極は，互いに並んだ第１電極および第２電極と，上記第１電極および第２電極に交差する第３電極とであるとしてもよい。
【００２７】
上記第１および第２電圧を交互に有するパルスが印加される電極は，第１電極であるとしてもよい。
【００２８】
上記パルスは，点灯される放電セルとして選択された放電セルで，維持放電を行わせる維持パルスであるとしてもよい。
【００２９】
上記第１および第２電圧を交互に有するパルスが印加される電極は，第２電極であるとしてもよい。
【００３０】
上記パルスは，点灯される放電セルとして選択された放電セルで，維持放電を行わせる維持パルスであるとしてもよい。
【００３１】
上記第１および第２電圧を交互に有するパルスが印加される電極は，第３電極であるとしてもよい。
【００３２】
上記パルスは，点灯される放電セルを選択し，アドレス放電を行わせるアドレスパルスであるとしてもよい。
【００３３】
上記第２電圧は，接地電圧であるとしてもよい。
【００３４】
また，上記課題を解決するために，本発明の別の観点によれば，互いに並んだ第１電極および第２電極と，上記第１電極および第２電極に交差する第３電極とを備え，各電極が交差する領域で放電セルが定義されるプラズマディスプレイパネルの各放電セルで放電が行われるように駆動信号を供給するディスプレイパネルの駆動装置において，全ての放電セルから選択された放電セルで維持放電が行われるように維持放電電圧および接地電圧を交互に有する維持パルスを第１電極および第２電極のうちいずれか１つの電極に印加する維持パルス印加部と，上記維持パルスが上記維持放電電圧から上記接地電圧に達する間に上記放電セル内の電荷を蓄積し，または上記維持パルスが上記接地電圧から上記維持放電電圧に達する間に上記蓄積した電荷を上記放電セル内に放出するエネルギー回収部とを備え，上記エネルギー回収部は，上記放電セル内の電荷を集めて蓄積し，または上記蓄積した電荷を上記放電セル内に放出するエネルギー保存キャパシタと，上記電荷の蓄積または放出を決定する少なくとも１つの絶縁ゲート両極性トランジスタと，上記絶縁ゲート両極性トランジスタのスイッチング動作により，上記エネルギー保存キャパシタと上記パネルとの間に流れる電流の大きさによって可変するインダクタンスを有しつつ，スイッチング動作を行い，上記インダクタンスおよび上記パネルのキャパシタンスのＬＣ共振により，上記維持放電電圧から上記接地電圧まで達する時間または上記接地電圧から上記維持放電電圧まで達する時間を決定する少なくとも１つの磁界スイッチとを備えるディスプレイパネルの駆動装置が提供される。
【００３５】
また，上記課題を解決するために，本発明の別の観点によれば，互いに並んだ第１電極および第２電極と，上記第１電極および第２電極に交差する第３電極とを備え，各電極が交差する領域で放電セルが定義されるプラズマディスプレイパネルの各放電セルで放電が行われるように駆動信号を供給するディスプレイパネルの駆動装置において，全ての放電セルのうちから点灯される放電セルを選択するアドレス放電が行われるように，アドレス電圧および接地電圧を交互に有するアドレスパルスを第３電極に印加するアドレスパルス印加部と，上記アドレスパルスが上記アドレス電圧から上記接地電圧に達する間に上記放電セル内の電荷を蓄積し，または上記アドレスパルスが上記接地電圧から上記アドレス電圧に達する間に上記蓄積した電荷を上記放電セル内に放出するエネルギー回収部とを備え，上記エネルギー回収部は，上記放電セル内の電荷を集めて蓄積し，または上記蓄積した電荷を上記放電セル内に放出するエネルギー保存キャパシタと，上記電荷の蓄積または放出を決定する少なくとも１つの絶縁ゲート両極性トランジスタと，上記絶縁ゲート両極性トランジスタのスイッチング動作により，上記エネルギー保存キャパシタと上記パネルとの間に流れる電流の大きさによって可変するインダクタンスを有しつつ，スイッチング動作を行い，上記インダクタンスおよび上記パネルのキャパシタンスのＬＣ共振により，上記アドレス電圧から上記接地電圧まで達する時間または上記接地電圧から上記アドレス電圧まで達する時間を決定する少なくとも１つの磁界スイッチとを備えるディスプレイパネルの駆動装置が提供される。
【発明の効果】
【００３６】
本発明によれば，本発明のディスプレイパネルの駆動装置で，特にエネルギー回収部で磁界スイッチとスイッチング素子とを使用し，パルスの上昇期間および下降期間を従来より縮めることができる。
【発明を実施するための最良の形態】
【００３７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
図３は，本発明の駆動装置により駆動されるＰＤＰの一実施形態を図示した斜視図である。図面を参照して説明すれば，ＰＤＰの第１基板３００および第２基板３０６間には，Ａ電極（例えば第３電極）Ａ１，  …  ，Ａｍ，第１および第２誘電体層３０２，３１０，Ｙ電極（例えば第２電極）Ｙ１，  …  ，Ｙｎ，Ｘ電極（例えば第１電極）Ｘ１，  …  ，Ｘｎ，蛍光体層３１２，隔壁３１４および保護層３０４が設けられている。
【００３９】
Ａ電極Ａ１，  …  ，Ａｍは，隔壁３１４の伸張方向と平行に第２基板３０６上に一定のパターンで形成される。一方，Ａ電極Ａ１，  …  ，Ａｍは，アルミニウム，銅のような導電性金属で形成される。
【００４０】
第２誘電体層３１０は，Ａ電極Ａ１，  …  ，Ａｍを覆うように塗布される。第２誘電体層３１０上には，隔壁３１４がＡ電極Ａ１，  …  ，Ａｍと平行して（または並行して）形成される。一方，第２誘電体層３１０は，陽イオンや電子によりＡ電極Ａ１，  …  ，Ａｍが損傷することを防止すると同時に，電荷を誘導できる誘電体として形成されるが，かかる誘電体としては，ＰｂＯ，Ｂ２Ｏ３，ＳｉＯ２などがある。
【００４１】
隔壁３１４は各放電セルの放電領域を区画し，各放電セル間の光学的干渉を防止する機能を有する。隔壁は，図示されたように，ストライプ状に配置されるが，それに限定されるものではなく，多様なパターンで形成可能である。例えば，マトリックス，ワッフル，デルタの形態のようにも形成可能である。また，放電空間の横断面は，四角形以外の，三角形，五角形などの多角形または円形，楕円形などにも形成可能である。
【００４２】
蛍光体層３１２は，隔壁３１４間でＡ電極Ａ１，  …  ，Ａｍ上の第２誘電体層３１０の上に塗布され，順次に赤色発光蛍光体層，緑色発光蛍光体層，青色発光蛍光体層が配置される。赤色発光蛍光体層は，Ｙ（Ｖ，Ｐ）Ｏ４：Ｅｕなどの蛍光体を含み，緑色発光蛍光体層は，Ｚｎ２ＳｉＯ４：Ｍｎ，ＹＢＯ３：Ｔｂなどの蛍光体を含み，青色発光蛍光体層は，ＢＡＭ：Ｅｕなどの蛍光体を含む。
【００４３】
Ｘ電極Ｘ１，  …  ，ＸｎおよびＹ電極Ｙ１，  …  ，Ｙｎは，Ａ電極Ａ１，  …  ，Ａｍと直交するように，第１基板３００上に一定のパターンで形成される。上記Ａ電極と一組のＸ電極，Ｙ電極との各交差点は，相応する放電セルを設定する。各Ｘ電極Ｘ１，  …  ，Ｘｎと各Ｙ電極Ｙ１，  …  ，Ｙｎは，ＩＴＯ（Ｉｎｄｉｕｍ  Ｔｉｎ  Ｏｘｉｄｅ）などの透明な導電性材質の透明電極Ｘｎａ，Ｙｎａと伝導度を高めるための金属電極Ｘｎｂ，Ｙｎｂとが結合されて形成されるとしてもよい。
【００４４】
第１誘電体層３０２は，Ｘ電極Ｘ１，  …  ，ＸｎとＹ電極Ｙ１，  …  ，Ｙｎとを覆うように塗布されて形成される。一方，第１誘電体層３０２は，陽イオンまたは電子によりＸ電極またはＹ電極が損傷することを防止すると同時に電荷を誘導できる誘電体として形成されるが，かかる誘電体としては，ＰｂＯ，Ｂ２Ｏ３，ＳｉＯ２などを挙げることができる。
【００４５】
強い電界からパネルを保護するための保護層３０４，例えば一酸化マグネシウム（ＭｇＯ）層は，第１誘電体層３０２を覆うように全面塗布されて形成される。保護層３０４は，主にスパッタリング，電子ビーム蒸着法で薄膜に形成される。
【００４６】
放電空間３０８には，プラズマ形成用の放電ガスが密封される。放電ガスとしては，Ｎｅ，Ｘｅなどおよびこれらの混合気体が用いられる。
【００４７】
なお，本発明の駆動装置により駆動されるＰＤＰは，図３に図示されているところに限定されるものではない。
【００４８】
図４は，図３のＰＤＰの電極配置を簡略に図示した図面である。
【００４９】
図面を参照して説明すれば，Ｙ電極Ｙ１，  …  ，ＹｎとＸ電極Ｘ１，  …  ，Ｘｎとが平行するように並べて配置され，Ａ電極Ａ１，  …  ，Ａｍは，Ｙ電極Ｙ１，  …  ，ＹｎおよびＸ電極Ｘ１，  …  ，Ｘｎに交差するように配置され，交差する領域は，放電セルＣｅを区画する。
【００５０】
図５は，図３のＰＤＰを駆動するためのＰＤＰの駆動装置を簡略に図示したブロック図である。すなわち，三電極構造のＰＤＰの駆動装置を簡略に図示したブロック図である。
【００５１】
図面を参照すれば，ＰＤＰの駆動装置は，映像処理部１００，論理制御部１０２，Ｙ駆動部１０４，アドレス駆動部１０６，Ｘ駆動部１０８およびプラズマ表示パネル１を備える。
【００５２】
映像処理部１００は，外部から入力されたパソコン信号，ＤＶＤ信号，ビデオ信号，ＴＶ信号などの外部映像信号をアナログ信号からデジタル信号に変換し，デジタル信号を映像処理して内部映像信号として出力する。内部映像信号は，それぞれ８ビットの赤色（Ｒ），緑色（Ｇ），青色（Ｂ），映像データ，クロック信号，垂直および水平同期信号である。
【００５３】
論理制御部１０２は，内部映像信号を入力され，ガンマ補正，ＡＰＣ（Ａｕｔｏｍａｔｉｃ  Ｐｏｗｅｒ  Ｃｏｎｔｒｏｌ）段階などを行い，それぞれアドレス駆動制御信号ＳＡ，Ｘ駆動制御信号ＳＸ，Ｙ駆動制御信号ＳＹを出力する。
【００５４】
Ｙ駆動部１０４，アドレス駆動部１０６およびＸ駆動部１０８は，それぞれ駆動制御信号を入力され，プラズマ表示パネル１のＹ電極，Ａ電極およびＸ電極それぞれに駆動信号を出力する。
【００５５】
図６は，図３のＰＤＰの駆動方法の一例であり，Ｙ電極に対するアドレス−ディスプレイ分離駆動方法を示している。
【００５６】
図面を参照すれば，単位フレームは，時分割階調表示を実現するために所定個数，例えば８個のサブフィールドＳＦ１，  …  ，ＳＦ８に分割されうる。また，各サブフィールドＳＦ１，  …  ，ＳＦ８は，リセット区間（図示せず）と，アドレス区間Ａ１，  …  ，Ａ８と，維持放電区間Ｓ１，  …  ，Ｓ８とに分割される。
【００５７】
各アドレス区間Ａ１，  …  ，Ａ８では，アドレス電極にアドレスパルスが印加されると同時に，各Ｙ電極Ｙ１，  …  ，Ｙｎに上記アドレスパルスと相応する走査パルスが順次に印加される。
【００５８】
各維持放電区間Ｓ１，  …  ，Ｓ８では，Ｙ電極Ｙ１，  …  ，ＹｎとＸ電極Ｘ１，  …  ，Ｘｎとに維持パルスが交互に印加され，アドレス区間Ａ１，  …  ，Ａ８で壁電荷が形成された放電セルで維持放電を起こす。
【００５９】
ＰＤＰの輝度は，単位フレームを構成する維持放電区間Ｓ１，  …  ，Ｓ８内の維持放電パルス個数に比例する。例えば，１画像を形成する１つのフレームが，８個のサブフィールドにより２５６階調で表現される場合に，各サブフィールドには，順番に１，２，４，８，１６，３２，６４，１２８の比率で相異なる維持パルスの数が割り当てられうる。もし，１３３階調の輝度を得るためには，第１サブフィールドＳＦ１，第３サブフィールドＳＦ３および第８サブフィールドＳＦ８の間，セルをアドレシングして維持放電すればよい。
【００６０】
各サブフィールドに割り当てられる維持放電数は，ＡＰＣ段階によるサブフィールドの加重値によって可変的に決定可能である。また，各サブフィールドに割り当てられる維持放電数は，ガンマ特性やパネル特性を考慮して多様に変形することが可能である。例えば，第４サブフィールドＳＦ４に割り当てられた階調度を８から６に下げ，第６サブフィールドＳＦ６に割り当てられた階調度を３２から３４に上げることができる。また，あるフレームを形成するサブフィールドの数も設計スペックによって多様に変形することが可能である。
【００６１】
図７は，図５の各駆動部から出力する駆動信号の一実施形態を示すタイミング図である。
【００６２】
図７を参照して説明すれば，ＰＤＰ（図５の１）を駆動するために，１画像を形成する単位フレームは，複数個のサブフィールドに分けられ，各サブフィールドＳＦは，リセット期間ＰＲ，アドレス期間ＰＡおよび維持期間ＰＳに分けられる。
【００６３】
まず，リセット期間ＰＲには，Ｙ電極Ｙ１，  …  ，Ｙｎに上昇パルスと下降パルスとからなるリセットパルスが印加され，Ｘ電極Ｘ１，  …  ，Ｘｎには，上記下降パルスの印加時から正極性のバイアス電圧Ｖｂが印加されてリセット放電が行われる。リセット放電により，全ての放電セルが初期化される。上昇パルスは，維持放電電圧ＶＳから上昇電圧Ｖｓｅｔほど上昇し，最終的に上昇最高電圧Ｖｓｅｔ＋Ｖｓに達し，下降パルスは，維持放電電圧ＶＳから下降し，最終的に下降最低電圧Ｖｎｆに達する。
【００６４】
アドレス期間ＰＡには，Ｙ電極Ｙ１，  …  ，Ｙｎに走査パルスが順次に印加され，Ａ電極Ａ１，  …  ，Ａｍに，上記走査パルスに合わせてアドレスパルスが印加され，アドレス放電が行われる。アドレス放電により，維持期間ＰＳで発生する維持放電が行われる放電セルが選択される。走査パルスは，スキャンハイ電圧Ｖｓｃｈとスキャンハイ電圧Ｖｓｃｈより電圧の低いスキャンロー電圧Ｖｓｃｌとを有しており，スキャンロー電圧ＶｓｃｌはＹ電極Ｙ１，  …  ，Ｙｎに順次に印加される。アドレスパルスは，走査パルスの上記スキャンロー電圧Ｖｓｃｌの変化（印加）に合わせ，正極性のアドレス電圧Ｖａに変化する。
【００６５】
維持期間ＰＳでは，Ｘ電極Ｘ１，  …  ，ＸｎとＹ電極Ｙ１，  …  ，Ｙｎとに維持パルスが交互に印加されて維持放電が行われる。維持放電により，各サブフィールドごとに割り当てられた階調加重値によって輝度が表現される。上記維持パルスは，維持放電電圧ＶＳと接地電圧Ｖｇとを交互に有する。
【００６６】
なお，図７で図示されたところと異なる駆動信号が図５の各駆動部から出力されることがあり，駆動信号は図７に図示されたところに限定されるものではない。
【００６７】
図８は，本発明のＰＤＰの駆動装置の一実施形態を図示した図面である。
【００６８】
図９は，図８に図示された磁界スイッチの磁界強度に関わる磁束密度のヒステリシス曲線を図示した図面である。
【００６９】
図１０は，図８に図示されたスイッチング素子の種類別特性を図示した図面である。
【００７０】
以下では，図７〜図１０を参照して説明する。
【００７１】
図８に図示されたＰＤＰの駆動装置は図５に図示されたＸ駆動部を簡略に図示した図面である。Ｘ駆動部１０８は，維持パルス印加部８００と，エネルギー回収部８２０とを備える。
【００７２】
維持パルス印加部８００は，全ての放電セルのうち，あらかじめ選択された放電セルで維持放電が行われるように，第１電圧としての維持放電電圧ＶＳおよび接地電圧Ｖｇを交互に有する維持パルスをパネルのＸ電極に印加する。維持パルスは，図７で図示されているように，維持放電電圧ＶＳと接地電圧Ｖｇとを交互に有するとしてもよい。
【００７３】
従って，維持パルス印加部８００は，維持放電電圧ＶＳを供給する第１電圧源としての維持放電電圧源ＳＶＳと，維持放電電圧源ＳＶＳに一端が連結され，他端はパネルＣＰ’，さらに詳細にはパネルＣＰ’のＸ電極に連結されてスイッチングする第１スイッチング素子ＳＸ１と，接地電圧Ｖｇを供給する第２電圧源としての接地端と，接地端の一端に連結され，他端は第１スイッチング素子ＳＸ１の他端およびパネルＣＰ’，さらに詳細にはパネルＣＰ’のＸ電極に連結されてスイッチングする第２スイッチング素子ＳＸ２とを備える。
【００７４】
エネルギー回収部８２０は，維持パルスが接地電圧Ｖｇから維持放電電圧ＶＳに達する間に放電セル内の電荷を蓄積し，または維持パルスが維持放電電圧ＶＳから接地電圧Ｖｇに達する間に蓄積した電荷を放電セル内に放出する。このために，エネルギー回収部８２０は，第１および第２磁界スイッチＭＳＸ１，ＭＳＸ２と，第３および第４スイッチＳＸ３，ＳＸ４と，エネルギー保存キャパシタＣＸとを備える。図面では，エネルギー保存キャパシタＣＸに，第１および第２磁界スイッチＭＳＸ１，ＭＳＸ２の一端がそれぞれ連結され，第１および第２磁界スイッチＭＳＸ１，ＭＳＸ２の他端がそれぞれ第３および第４スイッチング素子ＳＸ３，ＳＸ４の一端に連結され，第３および第４スイッチング素子の他端は，それぞれ過電圧防止のためのクランピング目的の第１および第２ダイオードＤＸ１，ＤＸ２を経て，パネルＣＰ’，さらに詳細にはパネルのＸ電極に連結される。
【００７５】
エネルギー保存キャパシタＣＸは，維持パルスが印加されて維持放電が行われた放電セル内に残留する電荷を集めて蓄積し，または蓄積した電荷を放電セル内に再び放出する役割を果たす。
【００７６】
第３および第４スイッチング素子ＳＸ３，ＳＸ４は，エネルギー保存キャパシタＣＸに電荷を蓄積し，または蓄積した電荷を再び放電セル内に放出することを，スイッチング動作により行う。
【００７７】
第１および第２磁界スイッチＭＳＸ１，ＭＳＸ２は，第３および第４スイッチング素子ＳＸ３，ＳＸ４にそれぞれ連結される。上記第３および第４スイッチング素子ＳＸ３，ＳＸ４がターンオンされれば，エネルギー保存キャパシタＣＸからパネルまで流れる電流の大きさによりインダクタンスが可変すると同時に，可変のインダクタンスにより逆起電力が発生して電流の流れを妨害し，結果的にスイッチング動作を行う。また可変のインダクタンスにより，特に第１および第２磁界スイッチＭＳＸ１，ＭＳＸ２がターンオン動作である時のインダクタンスと，パネルＣＰ’のキャパシタンスＣＰとのＬＣ共振により，維持放電電圧ＶＳから接地電圧Ｖｇまで下降する期間，または接地電圧Ｖｇから維持放電電圧ＶＳまで上昇する期間が決定される。
【００７８】
一般的な磁界スイッチの動作について詳細に説明すれば，磁界スイッチは，強磁性体からなる磁心と，磁心を覆い包む導線とから構成される。磁界スイッチに誘起される逆起電力は，インダクタンスの大きさに比例するので（下記数式２参照），インダクタンスの大きさが変われば，逆起電力も変わる。磁界スイッチは，磁界スイッチを流れる電流の大きさにより，インダクタンスが大きく変化することを利用したスイッチである。
【００７９】
図９は，磁界スイッチのインダクタンスが，磁界スイッチを流れる電流の大きさにより大きく変化する原理を説明する。
【数１】
2006195423.tif 000003
ここで，ＬＭＳは磁界スイッチのインダクタンスを表し，μ０は真空での透磁率を表し，μｒは真空の透磁率に対する非透磁率を表し，Ａｍは磁心の断面積を表し，Ｉｍは磁場の経路長を表し，Ｎｔは導線の巻線数を表す。
【数２】
2006195423.tif 000004
ここで，Ｉは磁界スイッチに流れる電流を表す。
【００８０】
以下では，上記数式１および上記数式２と，図９とを参照して説明する。まず，図９の横軸には，磁界強度Ｈが，縦軸には，磁束密度Ｂが図示される。磁界強度Ｈは，磁界スイッチの導線を流れる電流Ｉに比例する。図面では，磁界強度Ｈが所定臨界値Ｈｓを超えれば，磁界強度Ｈが臨界値Ｈｓより小さな場合と比較し，磁束密度の上昇率ΔＢがかなり小さくなる。これを，磁束密度の飽和（ｓａｔｕｒａｔｅｄ）という。
【００８１】
一方，非透磁率μｒは，磁界強度に対する磁束密度の変化率ｄＢ／ｄＨに比例するために，非透磁率μｒも磁界強度Ｈの臨界値Ｈｓ前後で急速に小さくなる。非飽和時（ｕｎｓａｔｕｒａｔｅｄ）の非透磁率μｒは，ほぼ１，０００〜１００，０００になり，飽和時の非透磁率μｒは，ほぼ１に近い。非飽和時の非透磁率μｒを１００，０００であるとすれば，磁束密度Ｂが飽和になる前後では，非透磁率μｒがほぼ１００，０００分の１になり，逆起電力は非透磁率に比例するので，逆起電力ＶＭＳもまたほぼ１００，０００分の１になる。したがって，磁束密度が飽和になるまでは，磁界スイッチの逆起電力により電流が流れず，飽和後には，電流が急速に回路に流れ始める。上記過程により，スイッチング動作が行われる。
【００８２】
一方，飽和時の磁界スイッチのインダクタンスＬＭＳも，数式１で表されるように決定される。すなわち，磁界スイッチの飽和時の非透磁率と，磁心の面積Ａｍと，導線の巻線数の自乗Ｎｔ２とに比例し，磁場の経路長Ｉｍに反比例する。飽和時の非透磁率が非飽和時の非透磁率より顕著に小さいので，飽和時のインダクタンスは，非飽和時のインダクタンスに比べて顕著に小さくなる。磁心の面積Ａｍ，導線の巻線数Ｎｔおよび磁場の経路長Ｉｍを調節し，所望のインダクタンスを得ることができる。
【００８３】
一方，磁界スイッチは，磁界スイッチ自体に流れる電流Ｉに比例する磁界強度Ｈにより，スイッチングするタイミングが決定される。すなわち，外部からスイッチング動作を制御することができないので，設計段階でスイッチング動作のタイミングを決定する必要がある。このように，受動的な動作しかできない一方，その構造上故障または破損される可能性がかなり低いため，丈夫かつ安定したスイッチング素子である。
【００８４】
なお，第３スイッチング素子ＳＸ３と第４スイッチング素子ＳＸ４としては，ＩＧＢＴを使用してもよい。
【００８５】
図１０は，各スイッチング素子の特性を図示した図面である。図面では，ＭＯＳＥＦＥＴ，ＩＧＢＴおよびＩＧＢＴ＋磁界スイッチの特性を図示した。
【表１】
2006195423.tif 000005
【００８６】
表１は，ＭＯＳＥＦＥＴ，ＩＧＢＴ（絶縁ゲート両極性トランジスタ）およびＩＧＢＴ＋磁界スイッチの特性を整理したものである。
【００８７】
以下では，表１および図１０を参照して説明する。まず，ＭＯＳＦＥＴは，スイッチング制御信号としてターンオン信号が印加されれば，ターンオン信号の印加時と実際のターンオン時の期間ＴＭが最も短く，最速のターンオン動作が行われ，スイッチング時の電力損失であるスイッチング損失は少ない。しかし，ターンオンされた後の抵抗が大きく，ターンオンされた後の電力損失であるオン状態損失が多いという短所がある。
【００８８】
ＩＧＢＴは，ターンオン信号の印加時と実際のターンオン時の期間ＴＩがＭＯＳＦＥＴよりは長く，遅くターンオン動作が行われ，スイッチング時の抵抗が大きく，スイッチング時の電力損失であるスイッチング損失は多い。しかし，ターンオンされた後の抵抗が小さく，ターンオンされた後の電力損失であるオン状態損失が少ないという長所がある。また，ＭＯＳＦＥＴに比べて高電圧のスイッチング時に使用が可能である。放電効率を向上させるために，高濃度のＸｅガスを使用し，これを駆動するために高電圧を使用する趨勢では，他の短所を除外すれば，その使用を考慮するだけのことはある。
【００８９】
ＩＧＢＴ＋磁界スイッチは，図８に図示されているように使用する場合の特性を説明するものである。簡単に述べれば，ＩＧＢＴ＋磁界スイッチは，ＭＯＳＦＥＴの長所とＩＧＢＴの長所とをいずれも有することができる。すなわち，ＩＧＢＴがターンオンされた後で流れる電流により，磁界スイッチがターンオン動作を行うので，スイッチング時の電力損失であるスイッチング損失が少なく，またターンオンされた後の電力損失であるオン状態損失もまた少なくなる。その上，高電圧をスイッチングすることができる。ただし，ターンオン信号が印加されれば，一定期間ＴＩ後にＩＧＢＴが実際にターンオンされ始め，所定時間ＴＭＳ後，すなわちＩＧＢＴがターンオンされて流れる電流が臨界値（図９のＩｓ）に達すれば，磁界スイッチもターンオンされ始める。従って，図８の駆動装置で，図１１の維持パルスを印加するためには，所定時間ＴＭＳ前にあらかじめＩＧＢＴをターンオンさせ，磁界スイッチにターンオン動作を行わせねばならない。
【００９０】
図１１は，図８の駆動装置により印加される維持パルスの一実施形態を図示したタイミング図である。
【００９１】
図８および図１１を参照して説明すれば，磁界スイッチおよびＩＧＢＴがターンオンされ，接地電圧から維持放電電圧ＶＳまで上昇する期間は，磁界スイッチのインダクタンスＬＭＳＸ１とパネルＣＰ’のキャパシタンスＣＰとによるＬＣ共振により決定される。すなわち，上昇期間Ｔｒｉｓｅは，π√（ＬＭＳＸ１Ｃｐ）になる。また，維持放電電圧ＶＳから接地電圧まで下降する期間の下降期間Ｔｆａｌｌは，π√（ＬＭＳＸ２Ｃｐ）になる。
【００９２】
例えば，パネルＣＰ’のキャパシタンスＣＰがほぼ７０ｎＦであり，磁界スイッチのインダクタンスＬＭＳＸ１がほぼ２８ｎＨであれば，上昇期間Ｔｒｉｓｅおよび下降期間Ｔｆａｌｌは，ほぼ１３８ｎｓとなる。また，パネルＣＰ’のキャパシタンスＣＰがほぼ７０ｎＦであり，磁界スイッチのインダクタンスＬＭＳＸ１がほぼ７ｎＨであれば，上昇期間Ｔｒｉｓｅおよび下降期間Ｔｆａｌｌは，ほぼ６９ｎｓとなる。
【００９３】
図８に図示された駆動装置で発生する維持パルスの一実施形態として，上昇期間Ｔｒｉｓｅは０．０５μｓであり，維持放電電圧ＶＳの維持期間は１．４４μｓであり，下降期間Ｔｆａｌｌは０．０５μｓであり，接地電圧印加期間Ｔｏｆｆは１．５４μｓでありうる。すなわち，維持パルスの維持放電電圧ＶＳが印加される総期間Ｔｏｎは１．５４μｓであり，維持パルスの一周期は３．０８μｓとなる。従って，印加される維持パルスの周波数は，３２５ｋＨｚになり，維持パルスのデューティーは５０％となる。従来の一実施形態と比較してみれば，維持パルスの一周期は，４．２８μｓから３．０８μｓと２８％ほど短縮可能である。
【００９４】
図８に図示された駆動装置で発生する維持パルスの他の実施形態として，上昇期間Ｔｒｉｓｅは０．０５μｓであり，維持放電電圧ＶＳの維持期間は１．９μｓであり，下降期間Ｔｆａｌｌは０．０５μｓであり，接地電圧印加期間Ｔｏｆｆが２．０μｓでありうる。すなわち，維持パルスの維持放電電圧ＶＳが印加される総期間Ｔｏｎは２．０μｓであり，維持パルスの一周期は４．０μｓとなる。従って，印加される維持パルスの周波数は２５０ｋＨｚになり，維持パルスのデューティーは５０％となる。従来の他の実施形態と比較してみれば，維持パルスの一周期は，５μｓから４μｓと，２０％ほど短縮可能である。
【００９５】
このように，維持パルスの印加期間が短縮され，実際に維持期間が短縮されるので，短縮された維持期間（図７のＰＳ）に応じてアドレス期間（図７のＰＡ）またはリセット期間（図７のＰＲ）を拡張したり，または１フレームにサブフィールドをさらに追加したりすることができる。ＰＤＰの高解像度の趨勢では，走査電極と維持電極のライン個数が増加するので，順次にライン別にスキャンを行うアドレス期間は，さらに増加する。係る増加分を，維持パルスの上昇期間Ｔｒｉｓｅおよび下降期間Ｔｆａｌｌを短縮して補償できるようになる。また，階調を２５６階調に分け，８つのサブフィールドで階調表示を行う場合に比べ，サブフィールドをさらに追加し，階調表示をさらに拡張できるようになる。
【００９６】
一方，図８のＸ駆動部の動作を図１１を参照して説明すれば，まずＩＧＢＴ（第３スイッチング素子ＳＸ３）がターンオンされ，エネルギー保存キャパシタＣＸからパネルに電流が流れ，流れる電流により第１磁界スイッチＭＳＸ１がターンオンされ，ＬＣ共振により接地電圧から維持放電電圧ＶＳまで上昇する。次に，維持パルス印加部８００の第１スイッチング素子ＳＸ１がターンオンされ，ＩＧＢＴ（第３スイッチング素子ＳＸ３）がターンオフされて維持放電電圧ＶＳが続けて維持される。次に，第１スイッチング素子ＳＸ１がターンオフされ，ＩＧＢＴ（第４スイッチング素子ＳＸ４）がターンオンされてパネルからエネルギー保存キャパシタＣＸに電流が流れ，流れる電流によって第２磁界スイッチＭＳＸ２がターンオンされ，ＬＣ共振により維持放電電圧ＶＳから接地電圧まで下降する。次に，維持パルス印加部８００の第２スイッチング素子Ｓｘ２がターンオンされ，ＩＧＢＴ（第４スイッチング素子ＳＸ４）がターンオフされて接地電圧Ｖｇが続けて維持される。
【００９７】
なお，図８のＸ駆動部は，図面で図示されているところに限定されるものではなく，図７に図示されているバイアス電圧を印加するために，バイアス電圧印加部をさらに具備可能である。バイアス電圧印加部は，バイアス電圧源とスイッチング素子とを含み，スイッチング素子のスイッチング動作によりパネルにバイアス電圧を印加可能である。
【００９８】
図１２は，本発明のＰＤＰの駆動装置の他の実施形態であり，Ｙ駆動部を図示した回路図である。
【００９９】
図１２に図示された回路は，図８に図示した回路と似ている。図７および図１２を参照して説明すれば，図１２に図示された回路は，Ｙ電極に維持パルスを印加するＹ駆動部１０４を図示しているものであり，維持パルス印加部１２００とエネルギー回収部１２２０とを備える。
【０１００】
維持パルス印加部１２００は，維持放電電圧源ＳＶＳと，維持放電電圧をスイッチングしてパネルＣＰ’，詳細にはパネルの走査電極ラインに印加する第１スイッチング素子ＳＹ１と，接地端と，接地電圧ＶｇをスイッチングしてパネルＣＰ’，詳細にはパネルの走査電極ラインに印加する第２スイッチング素子ＳＹ２とを備える。
【０１０１】
エネルギー回収部１２２０は，エネルギー保存キャパシタＣＹと，第３および第４スイッチング素子ＳＹ３，ＳＹ４と，第１および第２磁界スイッチＭＳＹ１，ＭＳＹ２とを備える。エネルギー保存キャパシタＣＹに第１および第２磁界スイッチＭＳＹ１，ＭＳＹ２の一端がそれぞれ連結され，第１および第２磁界スイッチＭＳＹ１，ＭＳＹ２の他端は，それぞれ過電圧防止のためのダイオードＤＹ１，ＤＹ２を経て，それぞれパネルＣＰ’，詳細にはパネルの走査電極ラインに連結される。第３および第４スイッチング素子ＳＹ３，ＳＹ４は，ＩＧＢＴであってもよい。
【０１０２】
駆動装置の動作を図１１を参照して説明すれば，まずＩＧＢＴ（第３スイッチング素子ＳＹ３）がターンオンされれば，エネルギー保存キャパシタＣＹからパネルＣＰ’まで電流が流れ，流れる電流によって可変するインダクタンスを有する第１磁界スイッチＭＳＹ１がターンオンされる。第１磁界スイッチＭＳＹ１のインダクタンスＬＭＳＹ１と，パネルＣＰ’のキャパシタンスＣＰによりＬＣ共振が発生し，接地電圧から維持放電電圧ＶＳまで上昇する。接地電圧から維持放電電圧ＶＳまで上昇する上昇期間Ｔｒｉｓｅは，π√（ＬＭＳＹ１Ｃｐ）になる。次に，ＩＧＢＴ（第３スイッチング素子ＳＹ３）がターンオフされ，維持パルス印加部１２００の第１スイッチング素子ＳＹ１がターンオンされて維持放電電圧ＶＳが維持される。次に，第１スイッチング素子ＳＹ１がターンオフされ，ＩＧＢＴ（第４スイッチング素子ＳＹ４）がターンオンされてパネルＣＰ’からエネルギー保存キャパシタＣＹまで電流が流れ，流れる電流により可変するインダクタンスを有する第２磁界スイッチＭＳＹ２がターンオンされる。第２磁界スイッチＭＳＹ２のインダクタンスＬＭＳＹ２と，パネルＣＰ’のキャパシタンスＣＰとによってＬＣ共振が発生し，維持放電電圧ＶＳから接地電圧Ｖｇまで下降する。維持放電電圧ＶＳから接地電圧まで下降する下降期間は，π√（ＬＭＳＹ２Ｃｐ）になる。次に，ＩＧＢＴ（第４スイッチング素子ＳＹ４）がターンオフされ，維持パルス印加部１２００の第２スイッチング素子ＳＹ２がターンオンされて接地電圧Ｖｇが維持される。
【０１０３】
図１３は，本発明のＰＤＰの駆動装置の他の実施形態であり，Ａ駆動部を図示した回路図である。
【０１０４】
図１４は，図１３の駆動装置により印加されるアドレスパルスの一実施形態を図示したタイミング図である。
【０１０５】
図１３に図示された回路は，図８に図示した回路と似ている。図７，図１３および図１４を参照して説明すれば，いったん図１２に図示された回路は，Ａ電極に維持パルスを印加するＡ駆動部を図示しており，アドレスパルス印加部１３００とエネルギー回収部１３２０とを備える。
【０１０６】
アドレスパルス印加部１３００は，アドレス電圧源ＳＶａと，アドレス電圧をスイッチングしてパネルＣＰ’，詳細にはパネルＣＰ’のアドレス電極ラインに印加する第１スイッチング素子ＳＡ１と，接地端と，接地電圧ＶｇをスイッチングしてパネルＣＰ’，詳細にはパネルＣＰ’のアドレス電極ラインに印加する第２スイッチング素子ＳＡ２とを備える。
【０１０７】
エネルギー回収部１３２０は，エネルギー保存キャパシタＣＡと，第３および第４スイッチング素子ＳＡ３，ＳＡ４と，第１および第２磁界スイッチＭＳＡ１，ＭＳＡ２とを備える。エネルギー保存キャパシタＣＡに第１および第２磁界スイッチＭＳＡ１，ＭＳＡ２の一端がそれぞれ連結され，第１および第２磁界スイッチＭＳＡ１，ＭＳＡ２の他端は，それぞれ過電圧防止のためのダイオードＤＡ１，ＤＡ２を経て，それぞれパネルＣＰ’，詳細にはパネルのアドレス電極ラインに連結される。第３および第４スイッチング素子ＳＡ３，ＳＡ４は，ＩＧＢＴであってもよい。
【０１０８】
駆動装置の動作を図１１を参照して説明すれば，まずＩＧＢＴ（第３スイッチング素子ＳＡ３）がターンオンされれば，エネルギー保存キャパシタＣＡからパネルＣＰ’まで電流が流れ，流れる電流によって可変するインダクタンスを有する第１磁界スイッチＭＳＡ１がターンオンされる。第１磁界スイッチＭＳＡ１のインダクタンスＬＭＳＡ１と，パネルＣＰ’のキャパシタンスＣＰとによってＬＣ共振が発生し，接地電圧からアドレス電圧まで上昇する。接地電圧からアドレス電圧まで上昇する上昇期間Ｔｒｉｓｅは，π√（ＬＭＳＡ１Ｃｐ）になる。
【０１０９】
次に，ＩＧＢＴ（第３スイッチング素子ＳＡ３）がターンオフされ，アドレスパルス印加部１３００の第１スイッチング素子ＳＡ１がターンオンされてアドレス電圧が維持される。次に，第１スイッチング素子ＳＡ１がターンオフされ，ＩＧＢＴ（第４スイッチング素子ＳＡ４）がターンオンされてパネルＣＰ’からエネルギー保存キャパシタＣＡまで電流が流れ，流れる電流によって可変するインダクタンスを有する第２磁界スイッチＭＳＡ２がターンオンされる。第２磁界スイッチＭＳＡ２のインダクタンスＬＭＳＡ２と，パネルＣＰ’のキャパシタンスＣＰとによってＬＣ共振が発生し，アドレス電圧から接地電圧まで下降するようになる。アドレス電圧から接地電圧まで下降する下降期間Ｔｆａｌｌは，π√（ＬＭＳＡ２Ｃｐ）になる。次に，ＩＧＢＴ（第４スイッチング素子ＳＡ４）がターンオフされ，アドレスパルス印加部１３００の第２スイッチング素子ＳＡ２がターンオンされて接地電圧が維持される。
【０１１０】
図１４のように，アドレスパルスは，接地電圧からアドレス電圧まで上昇する上昇期間Ｔｒｉｓｅと，アドレス電圧を維持する期間Ｔｔｏｐと，アドレス電圧から接地電圧まで下降する下降期間Ｔｆａｌｌとに分けられる。アドレスパルスは，点灯される放電セルを選択するために連続して印加されるので，接地電圧Ｖｇを維持する期間がなくなる。例えば，従来には，上昇期間Ｔｒｉｓｅおよび下降期間Ｔｆａｌｌが０．３μｓであり，アドレス電圧を維持する期間Ｔｔｏｐは１μｓであるアドレスパルスを使用した。すなわち，総印加期間は１．６μｓであり，６２５ｋＨｚの周波数を有し，アドレスパルスのデューティーは１００％であった。
【０１１１】
しかし，本発明の駆動装置により発生するアドレスパルスは，上昇期間Ｔｒｉｓｅおよび下降期間Ｔｆａｌｌが０．０５μｓであり，アドレス電圧を維持する期間Ｔｔｏｐは１μｓであるアドレスパルスを使用できる。すなわち，総印加期間は１．１μｓであり，９０９ｋＨｚの周波数を有し，デューティーが１００％になる。従来に比べ，アドレスパルスの上昇期間Ｔｒｉｓｅおよび下降期間Ｔｆａｌｌが縮まり，上昇期間Ｔｒｉｓｅ，アドレス電圧維持期間Ｔｔｏｐおよび下降期間Ｔｆａｌｌを含むアドレスパルスの印加期間Ｔｏｎを短縮でき，従ってアドレス期間（図７のＰＡ）を短縮させることができる。従って，走査電極および維持電極のライン数を増大させ，高解像度を具現する趨勢に適するようになる。
【０１１２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【０１１３】
本発明のディスプレイパネルの駆動装置は，例えばディスプレイパネルの駆動関連の技術分野で効果的に適用可能である。
【図面の簡単な説明】
【０１１４】
【図１】選択された放電セルで維持放電が行われるように，維持パルスを印加する従来のＰＤＰの駆動装置を簡略に図示した回路図である。
【図２】図１の駆動装置により印加される維持パルスを図示したタイミング図である。
【図３】本発明の駆動装置により駆動されるＰＤＰの一実施形態を図示した斜視図である。
【図４】図３のＰＤＰの電極配置を簡略に図示した図面である。
【図５】図３のＰＤＰを駆動するためのＰＤＰの駆動装置を簡略に図示したブロック図である。
【図６】図３のＰＤＰの駆動方法の一例であり，Ｙ電極に関わるアドレス−ディスプレイ分離駆動方法を示す。
【図７】図５の各駆動部で出力する駆動信号の一実施形態を示すタイミング図である。
【図８】本発明のＰＤＰの駆動装置の一実施形態を図示した図面である。
【図９】図８に図示された磁界スイッチの磁界強度に対する磁束密度のヒステリシス曲線を図示した図面である。
【図１０】図８に図示されたスイッチング素子の種類別特性を図示した図面である。
【図１１】図８の駆動装置により印加される維持パルスの一実施形態を図示したタイミング図である。
【図１２】本発明のＰＤＰの駆動装置の他の実施形態であり，Ｙ駆動部を図示した回路図である。
【図１３】本発明のＰＤＰの駆動装置の他の実施形態であり，Ａ駆動部を図示した回路図である。
【図１４】図１３の駆動装置により印加されるアドレスパルスの一実施形態を図示したタイミング図である。
【符号の説明】
【０１１５】
１０４        Ｙ駆動部
１０８        Ｘ駆動部
８００，１２００        維持パルス印加部
８２０，１２２０，１３２０        エネルギー回収部
１３００      アドレスパルス印加部
ＣＰ        パネル
ＣＸ        エネルギー保存キャパシタ
ＤＸ１，ＤＸ２        第１および第２ダイオード
ＭＳＸ１，ＭＳＸ２        第１および第２磁界スイッチ
ＳＸ        スイッチ素子
ＶＳ        維持放電電圧
【図１】
2006195423.tif 000006
【図２】
2006195423.tif 000007
【図３】
2006195423.tif 000008
【図４】
2006195423.tif 000009
【図５】
2006195423.tif 000010
【図６】
2006195423.tif 000011
【図７】
2006195423.tif 000012
【図８】
2006195423.tif 000013
【図９】
2006195423.tif 000014
【図１０】
2006195423.tif 000015
【図１１】
2006195423.tif 000016
【図１２】
2006195423.tif 000017
【図１３】
2006195423.tif 000018
【図１４】
2006195423.tif 000019